(57)【要約】【課題】  冷却系統部におけるブースタユニットを冷却系統部から簡単に切り離すことができる構造を備えた冷凍システムを提供する。【解決手段】  冷凍ケース及び冷蔵ケースの各ケース内冷却を行う冷却系統部が、冷媒循環を主たる役割とする冷却用圧縮機と、冷凍ケースを経た冷媒の圧力を、冷蔵ケースを経た冷媒圧力まで昇圧させるための昇圧用圧縮機とを備える冷凍システムにおいて、冷却用圧縮機が室外ユニットに収納され、昇圧用圧縮機が室外ユニットとは別ユニットのブースタユニットに収納され、このブースタユニットが冷媒配管の接続用のサービスバルブ７１，７２を備え、このサービスバルブ７１，７２を介して冷凍ケース、冷蔵ケース及び室外ユニットに接続され、各サービスバルブ７１，７２が、その弁体を閉じたときに、当該ブースタユニット側を開放するリリース部９１を備える。【選択図】      図６
2005214494.tif 000002
【特許請求の範囲】
【請求項１】
冷凍ケース及び冷蔵ケースの各ケース内冷却を行う冷却系統部に、冷媒循環を主たる役割とする冷却用圧縮機と、冷凍ケースを経た冷媒の圧力を、冷蔵ケースを経た冷媒圧力まで昇圧させるための昇圧用圧縮機とを備える冷凍システムにおいて、前記冷却用圧縮機が室外ユニットに収納され、前記昇圧用圧縮機が前記室外ユニットとは別ユニットのブースタユニットに収納され、このブースタユニットが冷媒配管の接続用のサービスバルブを備え、このサービスバルブを介して前記冷凍ケース、前記冷蔵ケース及び前記室外ユニットに接続され、各サービスバルブが、その弁体を閉じたときに、当該ブースタユニット側を開放するリリース部を備えることを特徴とする冷凍システム。
【請求項２】
前記ブースタユニットが冷却系統部から分離される場合、前記サービスバルブが冷却系統部の配管側に接続された状態で、当該冷却系統部側に残ることを特徴とする請求項１記載の冷凍システム。
【請求項３】
前記サービスバルブがブースタユニットの一つの面に並設されていることを特徴とする請求項１又は２に記載の冷凍システム。
【発明の詳細な説明】
【技術分野】
【０００１】
本発明は、ブースタユニットを備えた冷凍システムに関する。
【背景技術】
【０００２】
近年、コンビニエンスストア等の店舗の室内空調を行う空調系統部と、店舗内に設けられた冷却貯蔵設備としての冷蔵ケース及び冷凍ケース等の冷却を行う冷却系統部とを備える冷凍システムが提案されている（例えば、特許文献１）。
【０００３】
冷凍ケースでの冷媒の蒸発圧力は、冷蔵ケースでの冷媒の蒸発圧力に比べて低いため、一の冷媒回路によって冷蔵ケースと冷凍ケースを冷却する場合には、冷凍ケース後の冷媒圧力を冷蔵ケース後の冷媒圧力まで昇圧させて、冷蔵ケース後の冷媒と合流させる必要がある。そのため、冷却系統部には、冷媒循環を主たる役割とする冷却用圧縮機（第１の圧縮機）と、冷凍ケース後の冷媒圧力を昇圧させるための昇圧用圧縮機（第２の圧縮機）とを設けることが考えられる。
【特許文献１】特開２００２−１７４４７０号公報
【発明の開示】
【発明が解決しようとする課題】
【０００４】
この種のものの一例として、冷却用圧縮機を室外ユニットに収納し、昇圧用圧縮機を室外ユニットとは別ユニットのブースタユニットに収納するものが考えられる。この場合、ブースタユニットに例えば故障が発生すれば、当該ブースタユニットを冷却系統部から切り離した後に交換、或いはメンテナンスしなければならない。ブースタユニットを冷却系統部から切り離す場合、一般には、ポンプダウン運転によって冷媒を室外ユニット側に集めた後に、ブースタユニットを冷却系統部から切り離す。
【０００５】
しかし、上述した冷却系統部は冷媒封入量が多く、ブースタユニットを切り離すためにポンプダウン運転を行うのは効率的でない。
【０００６】
そこで、本発明の目的は、上述した従来の技術が有する課題を解消し、冷却系統部におけるブースタユニットを冷却系統部から簡単に切り離すことができる構造を備えた冷凍システムを提供することにある。
【課題を解決するための手段】
【０００７】
本発明は、冷凍ケース及び冷蔵ケースの各ケース内冷却を行う冷却系統部に、冷媒循環を主たる役割とする冷却用圧縮機と、冷凍ケースを経た冷媒の圧力を、冷蔵ケースを経た冷媒圧力まで昇圧させるための昇圧用圧縮機とを備える冷凍システムにおいて、前記冷却用圧縮機が室外ユニットに収納され、前記昇圧用圧縮機が前記室外ユニットとは別ユニットのブースタユニットに収納され、このブースタユニットが冷媒配管の接続用のサービスバルブを備え、このサービスバルブを介して前記冷凍ケース、前記冷蔵ケース及び前記室外ユニットに接続され、各サービスバルブが、その弁体を閉じたときに、当該ブースタユニット側を開放するリリース部を備えることを特徴とする。
【０００８】
本発明では、各サービスバルブの弁体が閉じられた場合、冷却系統部からブースタユニットが切り離されると共に、当該サービスバルブのリリース部を通じて、ブースタユニット側が開放される。このリリース部に、例えば、冷媒回収機を接続しておけば、この冷媒回収機によってブースタユニット内の冷媒がすべて回収され、その後に、サービスバルブの配管接続部を外すことにより、冷媒を大気開放することなく、ブースタユニットを簡単に切り離すことができる。この場合、ブースタユニット内の冷媒量は、ブースタユニット外の冷媒量に比べて極少量である。従って、その冷媒の回収はきわめて容易であり、その冷媒回収を短時間の内に行うことができると共に、ブースタユニットを再組み付けする場合の冷媒補充量を少なくすることができる。
【０００９】
この場合において、上記ブースタユニットが冷却系統部から分離される場合、上記サービスバルブが冷却系統部の配管側に接続された状態で、冷却系統部側に残るようにしてもよい。また、この場合において、上記サービスバルブが上記ブースタユニットの一つの面に並設されていてもよい。
【発明の効果】
【００１０】
本発明では、サービスバルブの弁体を閉じて、例えば、リリース部に冷媒回収機を接続してブースタユニット内の少量の冷媒を回収した後に、サービスバルブの配管接続部を外せば、ブースタユニットを簡単に切り離すことができる。
【発明を実施するための最良の形態】
【００１１】
以下、図面を参照して本発明の一実施の形態について説明する。
【００１２】
図１は、本実施形態の冷凍システム１のシステム構成を示す図である。この冷凍システム１は、例えばコンビニエンスストアの店舗内２（室内）の室内空調と、そこに設置されている冷却貯蔵設備としての冷蔵ケース３や冷凍ケース４のケース内冷却とを実現するものである。なお、冷蔵ケース３は、ケース内が冷蔵温度（＋３℃〜＋１０℃）に冷却され、飲料や冷蔵食品が陳列され、冷凍ケース４は、ケース内が冷凍温度（−１０℃〜−２０℃）に冷却され、冷凍食品や冷菓などが陳列されるものである。
【００１３】
冷凍システム１は、店舗内２の空調を行う空調系統部６と、冷蔵ケース３や冷凍ケース４のケース内冷却を行う冷却系統部８とを備えている。この空調系統部６は、店舗内２の天井などに設置された室内ユニット１１と、店舗外に設置された室外ユニット１２とを備えている。この室内ユニット１１と室外ユニット１２との間には空調用冷媒回路７が配管構成されている。この空調用冷媒回路７は、室内ユニット１１内に設置された利用側熱交換器２７と、室外ユニット１２内に設置された熱源側熱交換器１６と、空調用圧縮機１３Ａ、１３Ｂとにより冷暖房サイクルを行うものである。
【００１４】
空調用圧縮機１３Ａはインバータ制御用の圧縮機であり、空調用圧縮機１３Ｂは、定速運転用の圧縮機である。これら空調用圧縮機１３Ａ、１３Ｂは、並列接続されて各空調用圧縮機１３Ａ及び１３Ｂの吐出側が逆止弁５Ａ、５Ｂを介して合流され、オイルセパレータ１０を介して四方弁１４の一方の入口に接続される。また、四方弁１４の一方の出口は熱源側熱交換器１６の入口に接続されている。この熱源側熱交換器１６は、多数の並列配管から成る流路抵抗の比較的小さい入口側１６Ａとこれらが少数の並列配管若しくは単数の配管に集約される出口側１６Ｂとで構成されている。そして、この熱源側熱交換器１６の出口側１６Ｂの出口は、並列接続された逆止弁５Ｃと膨張弁１７とを介して膨張弁１８の入口に接続され、膨張弁１８の出口は室内機１１に渡り、利用側熱交換器２７の入口に接続されている。
【００１５】
利用側熱交換器２７の出口は、室外ユニット１２に渡り、四方弁１４の他方の入口に接続され、四方弁１４の他方の出口は逆止弁５Ｄを介してアキュムレータ２３に接続されている。そして、このアキュムレータ２３の出口が空調用圧縮機１３Ａ、１３Ｂの吸込側に接続されている。なお、逆止弁５Ｄはアキュムレータ２３側が順方向とされている。また、膨張弁１７と１８の間の配管は膨張弁１９の入口に接続され、膨張弁１９の出口はカスケード熱交換器２１の空調側通路２１Ａの入口に接続されている。このカスケード熱交換器２１の空調側通路２１Ａの出口はアキュムレータ２３を介して空調用圧縮機１３Ａ、１３Ｂの吸込側に接続されている。
【００１６】
室外側空調コントローラ２６は、汎用のマイクロコンピュータで構成され、外気温や冷媒圧力に基づいて室外ユニット１２側の空調系統部６の機器を制御するものである。また、室内側空調コントローラ２８は、汎用のマイクロコンピュータで構成され、リモートコントローラ（不図示）から送信されて受信部（不図示）を介して入力したユーザ指示に基づいて室内ユニット１１側の機器を制御したり、室外側空調コントローラ２６にユーザ指示に応じた情報などをデータ通信したりするものである。また、送風機２４は、熱源側熱交換器１６に外気を送風する送風機であり、送風機１５は、利用側熱交換器２７に室内空気を送る送風機である。
【００１７】
一方、冷却系統部８は、冷却貯蔵設備としての冷蔵ケース３や冷凍ケース４と、室外ユニット１２との間に渡って設けられた冷却用冷媒回路９とを備えている。この冷却用冷媒回路９は、冷蔵ケース３に設けられた冷蔵用蒸発器４３、冷凍ケース４に設けられた冷凍用蒸発器４９、室外ユニット１２内に設置された凝縮器（熱交換器）３８及び冷却用圧縮機３７（第１の圧縮機）及び昇圧用圧縮機５４（第２の圧縮機）により冷凍サイクルを行うものである。
【００１８】
冷却用圧縮機３７は、冷媒循環を主たる役割とするものであり、この冷却用圧縮機３７の吐出側は、オイルセパレータ３１を介して四方弁３９の一方の入口に接続され、この四方弁３９の一方の出口が凝縮器３８の入口に接続されている。この凝縮器３８は多数の並列配管から成る流路抵抗の比較的小さい入口側３８Ａとこれらが少数の並列配管若しくは単数の配管に集約される出口側３８Ｂとで構成されている。そして、この凝縮器３８の出口側３８Ｂの出口はレシーバータンク３６の入口に接続され、このレシーバータンク３６の出口が四方弁４１の一方の入口に接続されている。すなわち、レシーバータンク３６は凝縮器３８の冷媒下流側に接続されている。また、四方弁４１の一方の出口はカスケード熱交換器２１のケース側通路２１Ｂの入口に接続されている。尚、カスケード熱交換器２１は、内部に構成された空調側通路２１Ａとケース側通路２１Ｂをそれぞれ通過する冷媒を相互に熱交換させるものであり、これによって空調用冷媒回路７の低圧側と冷却用冷媒回路９の高圧側とは熱的に連結される。
【００１９】
カスケード熱交換器２１のケース側通路２１Ｂの出口は、四方弁３９の他方の入口に接続されており、この四方弁３９の他方の出口は四方弁４１の他方の入口に接続されている。そして、この四方弁４１の他方の出口は室外ユニット１２から出て室内２（店内）に入り分岐する。分岐した一方の配管は電磁弁４６及び膨張弁４４を介して冷蔵用蒸発器４３の入口に接続されている。他方は電磁弁５２及び膨張弁５１を介して冷凍用蒸発器４９の入口に接続されている。
【００２０】
冷凍用蒸発器４９の出口は、逆止弁３０を介して昇圧用圧縮機５４の吸込側に接続されている（逆止弁３０は圧縮機５４側が順方向）。この昇圧用圧縮機５４は、冷凍ケース４後の冷媒圧力を、冷蔵ケース３後の冷媒圧力まで昇圧させるためのものであり、冷却用圧縮機３７よりも出力の小さく、オイル吐出量が少ない圧縮機である。この昇圧用圧縮機５４の吐出側は、オイルセパレータ４５を介して四方弁４２の一方の入口に接続され、四方弁４２の一方の出口は冷蔵用蒸発器４３の出口側に接続された後、冷却用圧縮機３７の吸込側に接続されている。すなわち、昇圧用圧縮機５４と冷却用圧縮機３７とは、冷媒回路上、直列に接続される。また、四方弁４２の他方の入口は、昇圧用圧縮機５４の入口側の管路に接続され、四方弁４２の他方の出口は逆止弁６１を介してカスケード熱交換器２１のケース側通路２１Ｂの入口側の管路に合流されている。なお、逆止弁６１はカスケード熱交換器２１側が順方向とされている。
【００２１】
上記構成では、冷却系統部８の各構成部品のうち、昇圧用圧縮機５４、逆止弁３０、オイルセパレータ４５及び四方弁４２が、冷却用圧縮機３７を収納する室外ユニット１２とは別ユニットのブースタユニット２２に収納されている。このブースタユニット２２は、コンビニエンスストアの外壁や地面等の任意の位置に配置されている。また、ブースタユニット２２に収納された四方弁４２は、それを切り換えることにより、冷蔵用蒸発器４３及び冷凍用蒸発器４９から出た冷媒（冷却用冷媒）を、冷却系統部８の各圧縮機（冷却用圧縮機３７或いは昇圧用圧縮機５４）を経由せずに、カスケード熱交換器２１の入口に導くバイパス経路を形成可能に構成されている。これによれば、冷却用圧縮機３７及び昇圧用圧縮機５４の一方が故障した場合、四方弁４２を切り換えることにより、冷蔵用蒸発器４３及び冷凍用蒸発器４９から流出した冷媒は、故障していない圧縮機を経由してカスケード熱交換器２１の入口に導くことができる。
【００２２】
室外側冷却コントローラ３２は、汎用のマイクロコンピュータで構成され、外気温や冷媒圧力に基づいて室外ユニット１２側の冷却系統部８の機器を制御する。また、室内側冷蔵コントローラ５０は、汎用のマイクロコンピュータで構成され、冷蔵用貯蔵設備（冷蔵ケース３）のケース内温度に基づいて冷却系統部８の機器を制御する。また、室内側冷凍コントローラ５５は、汎用のマイクロコンピュータで構成され、冷凍用貯蔵設備（冷凍ケース４）のケース内温度に基づいて冷却系統部８の機器を制御する。
【００２３】
また、送風機３５は、凝縮器３８に外気を送風する送風機であり、送風機２０は、凝縮器３８に冷蔵ケース３のケース内空気を送る送風機であり、送風機２５は、冷凍用蒸発器４９に冷凍ケース４のケース内空気を送る送風機である。
【００２４】
この冷凍システム１は、主コントローラ５６を有している。主コントローラ５６は、汎用のマイクロコンピュータで構成され、室外側空調コントローラ２６、室内側空調コントローラ２８、室外側冷却コントローラ３２、室内側冷蔵コントローラ５０及び室内側冷凍コントローラ５５とデータ通信することにより、冷凍システム１全体の制御を行うものである。なお、この冷凍システム１においては、空調用冷媒回路７と冷却用冷媒回路９とでは異なる冷媒が用いられ、例えば、空調用冷媒回路７にはＲ４１０Ａが用いられ、冷却用冷媒回路９にはＲ４１０Ａより沸点が高いＲ４０４Ａが用いられる。
【００２５】
このように、この冷凍システム１は、各冷媒回路に最適な冷媒をそれぞれ用いることができるので、回路設計の自由度を高くすることができる。
【００２６】
図２は室外ユニット１２の外観を示す斜視図であり、図３は室外ユニット１２の上面パネル１２Ａを取り外した状態での上面図である。室外ユニット１２は、空調系統部６のうち、室内ユニット１１に設置される部品以外の空調系統側構成部品（圧縮機１３Ａ、１３Ｂ、アキュムレータ２３、オイルセパレータ１０、熱源側熱交換器１６、送風機２４、室外機コントローラ２６等）と、冷却系統部８のうち、冷蔵ケース３、冷凍ケース４及びブースタユニット２２に配置される部品以外の冷却系統側構成部品（圧縮機３７、オイルセパレータ３１、レシーバータンク３６、凝縮器３８、送風機３５、冷凍機コントローラ３２等）とが配置されている。
【００２７】
より具体的には、室外ユニット１２では、図３に示すように、正面側から見て左側に送風機２４が配置され、この送風機２４の周囲に送風機２４以外の空調系統側構成部品が配置されると共に、正面側から見て右側に送風機３５が配置され、この送風機３５の周囲に送風機３５以外の冷却系統側構成部品が配置されている。ここで、送風機２４と送風機３５との間の正面側の空間には、下方略左側に圧縮機１３Ａ、１３Ｂが配置され、下方右側に圧縮機３７が設置されると共に、上方左側に室外機コントローラ２６、上方右側に冷凍機コントローラ３２が配置されている。すなわち、室外ユニット１２には、空調系統側構成部品と冷却系統側構成部品とが左右に振り分けて配置され、このように各系統側構成部品を左右に振り分けて配置することによって、空調系統側と冷却系統側の組み立てやメンテナンスを容易に行うことができ、また、空調系統側の配管長と冷却系統側の配管長を短くすることが可能となる。
【００２８】
図４は、本実施形態の要部を示す。すなわち、ブースタユニット２２には、上述したように、冷却系統部８の各構成部品のうち、昇圧用圧縮機５４、逆止弁３０、オイルセパレータ４５及び四方弁４２が収納されており、このブースタユニット２２の一つの支柱２２Ａには、図４に示すように、２つのサービスバルブ７１，７２と、１つの開閉弁７３とが、複数のボルト７５を介して縦に並列に取り付けられている。１つの開閉弁７３は、図１に示すように、四方弁４２と合流管８１とを連通し、この合流管８１は、冷蔵用蒸発器４３からの戻り管８２に合流する。また、２つのサービスバルブ７１，７２のうち、一方のサービスバルブ７１は、四方弁４２と分流管８３とを連通し、この分流管８３は、上述したように、逆止弁６１を介してカスケード熱交換器２１のケース側通路２１Ｂの入口管に合流し、他方のサービスバルブ７２は、冷凍用蒸発器４９と、ブースタユニット２２の昇圧用圧縮機５４とを連通する。
【００２９】
上記構成において、各サービスバルブ７１，７２は、図５及び図６に示すように、弁箱９０の内側に、三方向の接続口９１〜９３を有して構成される。そして、弁軸９５が、図５に示す位置にあるときには、弁体９６が、接続口（リリース部）９１を閉塞し、接続口９２と接続口９３とを連通する。
【００３０】
図５は、通常の運転状態であり、この状態では、一方のサービスバルブ７１において、四方弁４２と分流管８３とを連通し、他方のサービスバルブ７２において、冷凍用蒸発器４９と昇圧用圧縮機５４とを連通する。
【００３１】
ここで、例えば、昇圧用圧縮機５４が故障した場合、そのメンテナンスのため、ブースタユニット２２を冷却系統部から切り離す。その作業にあたり、本構成では、まず、各サービスバルブ７１，７２の接続口（リリース部）９１に、図示を省略した冷媒回収機を接続する。ついで、弁軸９５を、図６に示す位置に移動させて、弁体９６によって接続口９３を閉塞する。すなわち、一方のサービスバルブ７１において、分流管８３に至る接続口を閉塞し、他方のサービスバルブ７２において、冷凍用蒸発器４９に至る接続口を閉塞する。さらに、上述した１つの開閉弁７３を閉じる。
【００３２】
そうしておいて、上記の冷媒回収機を駆動し、接続口（リリース部）９１を通じて、ブースタユニット２２内のすべての冷媒を回収する。この場合、ブースタユニット２２内の冷媒量は、ブースタユニット２２外の冷媒量に比べて極少量であり、従って、その冷媒の回収はきわめて容易であり、その冷媒回収を極めて短時間の内に行うことができる。冷媒回収量が少量であるため、このブースタユニット２２を再組み付けする場合には、その冷媒補充量を少なくすることができる。
【００３３】
ブースタユニット２２内の冷媒回収が完了したら、四方弁４２、或いは冷凍用蒸発器４９に至る接続口９２におけるフレアを外し、当該ブースタユニット２２を冷却系統部から切り離す。つぎに、図４を参照して、ボルト７５を外し、各サービスバルブ７１，７２、及び１つの開閉弁７３を、ブースタユニット２２の一つの支柱２２Ａから切り離し、各サービスバルブ７１，７２、及び１つの開閉弁７３を冷却系統部の配管側に残した状態で、当該冷却系統部からブースタユニット２２を物理的に切り離す。
【００３４】
尚、ブースタユニット２２を交換した後、或いはメンテナンスした後に、それを再組み付けする手順は、上記手順と逆の手順となる。
【００３５】
本実施形態では、例えばブースタユニット２２に故障が発生した場合、従来のように、ポンプダウン運転によって冷媒を室外ユニット１２側に集めた後に、ブースタユニット２２を冷却系統部から切り離すといった、余分な作業が不要になり、いきなり各サービスバルブ７１，７２、及び１つの開閉弁７３を閉じ、ブースタユニット２２内の冷媒回収を行うだけで、冷却系統部からのブースタユニット２２の切り離しが可能になる。この場合の冷媒の回収作業は、ブースタユニット２２内の冷媒回収だけであり、その冷媒量は少量であり、極めて容易な作業となる。また、上述したように、各サービスバルブ７１，７２がブースタユニット２２の一つの面（一つの支柱２２Ａが位置する面）に並設されているため、ブースタユニット２２の切り離しのための作業を一方向からアクセス可能になり、作業性を向上させることができる。
【００３６】
以上の構成では、各サービスバルブ７１，７２の取り付け方向が、従来一般に使用されるサービスバルブの取り付け方向と逆である。すなわち、一般的には、サービスバルブが閉じられたとき、ユニット側の冷媒を、当該ユニット内に止め置くように、いわゆるリリース部がユニット外を開放する。
【００３７】
これに対し、本実施形態では、サービスバルブが閉じられたとき、ユニット側の冷媒を開放するように、いわゆるリリース部がユニット内を開放するものである。本実施形態では、従来構成のサービスバルブを逆に取り付けて使用したが、これに限定されるものではなく、サービスバルブが閉じられたとき、リリース部がユニット内を開放するものであれば、どのような構成であってもよい。
【００３８】
以上、本発明を一実施形態に基づいて説明したが、本発明はこれに限定されるものではない。例えば。本実施形態では、コンビニエンスストア等の店舗に適用される冷凍システムに本発明を適用する場合について述べたが、空調と、冷蔵ケース３や冷凍ケース４以外の被冷却設備の冷却とを行う冷凍システムに広く適用することができる。更に、上記実施形態で示した配管構成などは、それに限定されるものではなく、本発明の趣旨を逸脱しない範囲で適宜変更が可能である。
【図面の簡単な説明】
【００３９】
【図１】本発明の実施形態にかかる冷凍システムの冷媒回路を含むシステム構成を示す図である。
【図２】室外ユニットの外観を示す斜視図である。
【図３】室外ユニットの上面パネルを取り外した状態での上面図である。
【図４】ブースタユニットのサービスバルブを示す斜視図である。
【図５】サービスバルブを示す断面図である。
【図６】サービスバルブを示す断面図である。
【符号の説明】
【００４０】
１  冷凍システム
３  冷蔵ケース
４  冷凍ケース
６  空調系統部
８  冷却系統部
１１  室内ユニット
１２  室外ユニット
１３Ａ、１３Ｂ  空調用圧縮機
２１  カスケード熱交換器
２２  ブースタユニット
３７  冷却用圧縮機（第１の圧縮機）
５４  昇圧用圧縮機（第２の圧縮機）
７１，７２  サービスバルブ
７３  開閉弁
９１  接続口（リリース部）
【図１】
2005214494.tif 000003
【図２】
2005214494.tif 000004
【図３】
2005214494.tif 000005
【図４】
2005214494.tif 000006
【図５】
2005214494.tif 000007
【図６】
2005214494.tif 000008